【事件の表示】
　特願２００９−５４７４４０「細胞計数及び分析のための方法、システム及び組成」拒絶査定不服審判事件〔平成２０年　７月３１日国際公開、ＷＯ２００８／０９２０７５、平成２２年　５月２０日国内公表、特表２０１０−５１７０４６〕について、次のとおり審決する。
【結　論】
　本件審判の請求は、成り立たない。
【理　由】
第１　手続の経緯
　本願は、平成２０年１月２５日（パリ条約による優先権主張　平成１９年１月２６日　米国（ＵＳ），平成１９年９月２８日　米国（ＵＳ））を国際出願日とする外国語特許出願であって、平成２４年８月２０日付けで拒絶の理由が通知され、平成２５年１月２４日に意見書及び手続補正書が提出され、同年８月２３日付けで最後の拒絶の理由が通知され、同年１２月６日に意見書及び手続補正書が提出されたが、平成２６年７月９日付けで、平成２５年１２月６日提出の手続補正書の補正の却下の決定がされるとともに、拒絶の査定がなされ、その謄本は同月２２日に請求人に送達された。
　これに対して、平成２６年１１月２５日付けで拒絶査定不服審判の請求がなされ、それと同時に手続補正書の提出がなされた。
　その後当審より、平成２７年１１月１７日付けで拒絶の理由が通知され、それに対して、平成２８年２月２４日付けで、意見書及び手続補正書が提出されたものである。
第２　本願発明
　本願の請求項１ないし６に係る発明は、平成２８年２月２４日に提出された手続補正書により適法に補正された補正後の特許請求の範囲の請求項１ないし６に記載された事項により特定されるとおりのものであるところ、そのうち請求項１に係る発明（以下、「本願発明」という。）はつぎのとおりのものである。
「【請求項１】
　血液検体内で複数の分別励起可能なラベルを付けられた非赤血球を分析するための装置であって、前記装置は、
　血液検体を含み、赤血球の光妨害層の形成を妨げる光収集軸に沿った寸法を有することができる試料チャンバーであって、前記試料チャンバーの光学的に透過する壁と底部壁との間の垂直の前記寸法は４４μｍ以上５０μｍ未満の範囲内であり、前記光学的に透過する壁は前記底部壁に対して実質的に平行である、試料チャンバーと、
　帯域通過フィルタを有し、互いに対向する位置に配置された２つの光源であって、各々が、明確な波長帯域を有する照明ビームで前記血液検体を連続的に照らすことができる２つの光源と、
　前記複数の分別励起可能なラベルの各々が、単一の検出器によって検出できる同じ波長帯域内の光信号を連続的に放射させられるように、それぞれの光源の前記照明ビームを前記血液検体上に連続的に導くための前記２つの光源に結合されたコントローラと、
　そのような放射された光信号を収集し、それらに対応する連続的な画像を、画像データの連続的な組を形成するための光応答性表面に形成することができる光学システムとを含み、
　画像データの前記連続的な組を分析することによって、前記血液検体内の非赤血球を数えることを特徴とする装置。」
第３　平成２７年１１月１７日付け拒絶の理由の通知の概要
　平成２７年１１月１７日付けで当審から通知された拒絶の理由（以下、「本件拒絶理由通知」という。）のうち、その拒絶の理由１の概要は、本件出願の請求項１ないし６に係る発明は、その出願前（優先権主張日前、以下同じ。）日本国内または外国において頒布された下記の刊行物に記載された発明又は電気通信回線を通じて公衆に利用可能となつた引用例１（特表２００２−５１６９８２号公報）及び引用例２（国際公開第２００６／１１９３６８号）に記載された発明に基いて、その出願前にその発明の属する技術の分野における通常の知識を有する者が容易に発明をすることができたものであるから、特許法第２９条第２項の規定により特許を受けることができないというものである。
第４　引用例に記載された事項
　１　本件拒絶理由通知において引用され、本件出願前に頒布された刊行物である引用例１（特表２００２−５１６９８２号公報）には、つぎの事項が記載されている。（下線は当審により付加したもの。）
　（１）「【特許請求の範囲】
　【請求項１】  
血液サンプルの中の様々な形態成分を示差的にハイライト化するのに及び血液サンプルの中の血漿を着色するのにも作用可能である一つ又はそれ以上の着色剤と混合されている実質的に希釈されてない抗凝固全血静止サンプルで全血の構成要素の計数を行うための方法であって、前記血液サンプル及び着色剤は変動厚さ領域を有する観察用チャンバー（１４）の中に収容されており、
  ａ）血液サンプルを、既知面積の視野（１、３、５、７′、７、９、１１）を有する光学機器（５４）によって走査する工程;
  ｂ）前記静止血液サンプルの中の、個々の赤血球（３２）、赤血球の単層（３１）又は赤血球の凝集体（３３）のどれかを含有しておりそして血液サンプル中のその他の形態成分（３０、３４）を含有してもよい区域（１、３、５）を突き止める工程; 及び
  ｃ）静止血液サンプルの中の前記区域を、様々な形態の血液サンプル要素を示差的にハイライト化するように選択された波長の光によって照射する工程であって、この照射はハイライト化された血液サンプル要素に関する情報の前記光学機器による誘導を可能にする仕方で、行う工程;
を特徴とする前記方法。
・・・
　【請求項１１】  前記
走査工程が、白血球も含有しているチャンバーの領域で行われ
選択視野の中の個々の白血球を計数し、そして前記選択視野の容積を求めて血液サンプルについての容量白血球数を誘導する、諸工程が含まれている、
　【請求項１２】  
前記容量白血球数を誘導するのに臨床上有意な数の異なる視野が走査され
　【請求項１３】  
前記着色剤が、様々なタイプの白血球から発する異なる信号強度によって白血球のタイプを互いに区別するのに作用可能であり、それによって特異白血球数が前記血液サンプルから誘導される
　【請求項１４】  選択視野の容積が、視野の面積に各視野のチャンバーの厚さを掛けることによって求められる、請求項１１の方法。」
　（２）「 【０００１】
　（技術分野）
　本発明は抗凝固全血(anticoagulated whole blood)の静止サンプル(quiescent sample)を分析するための装置及び方法に関する。特に、本発明は分析過程中に血液サンプル分析装置の中に液流を通過させることを必要とせずに、血液サンプルを静止状態で分析するための装置及び方法に関する。サンプルの単位体積当りの血液成分計数(blood constituent counts); 血液成分容積; ヘマトクリット; ヘモグロビン測定; 赤血球沈降速度の厳密な近似; 及び血液成分タイプの同定は、いずれも本発明の装置及び方法を使用して遂行できる。」
　（３）「【００１１】
　チャンバー厚さは、血液サンプル中の細胞状又は微粒子状の要素を同定し数え上げるのに使用されるチャンバーの中に漸次厚くなる領域を形成するように、チャンバーの最も薄い領域から増加する。全ての場合において、かかる計数はチャンバーの領域で起こり、その領域の厚さは決定することができる、そこで血球又は成分の計数値はサンプルの所定容量の中の血球又は成分の数値として与えることができる。
チャンバーの中のより厚い領域の一つは白血球
チャンバーのこの領域の厚さは代表的には約７〜約４０μの範囲にある。チ
　（４）「【００２７】
　ところで、図４及び図５を引用すると、容器アセンブリー２の更に２つの態様が示され、その両者も、変動する通し面厚さを有するサンプルチャンバー１４を生じるであろう。両方の図に示された態様においては、装置２は下部壁４と上部壁８を包含している。両方の図に示された態様においては、下部壁４は壁８の縁１０に向かって縁１２から出発開始する方向に壁８に向けて収斂する一般にテーパーを付けた窪んだ表面１８をもって形成されている。どちらの態様の装置２においても、壁８は壁４の上面に平らに配置されている。図４に示された態様の装置２においては、窪んだ表面１８は予め定められた距離だけ壁８から離される複数の階段増分２０、２２、２４、及び必要ならばそれ以上を包含している。従って、図４に示された態様においては、チャンバー１４の表面はチャンバーの一方の縁からチャンバーの反対の縁まで直線的ではなく増分的又は非直線的に収斂する。図５に示された態様の装置２においては、窪んだ表面１８は壁８に向かって一定角度で収斂し、それによってチャンバー１４の通し面厚さは壁８の縁１２から縁１０まで測定したとき直線的に変動する。従って、図４及び図５に示された態様の装置は増分的又は直線的に変動する通し面厚さの領域を包含するサンプルチャンバー１４を例証する。窪んだ表面１８に凸状又は凹状に湾曲した構造を与えることによって非直線的に変動する通し面厚さをもったチャンバーをつくることができるであろうということは認識されるであろう。」
　（５）「【００３０】
　
図９はチャンバー１４を組み込んである装置２であってチャンバーが血液サンプルで満たされたときにチャンバー１４の中には被検血液サンプル中に存在する如何なる異なるサイズの形態成分も静止的に分布するであろう仕方を表す概略平面図である。数字１０はチャンバー１４のより小さな厚さの領域を示し、そして数字１２はチャンバー１４のより大きな厚さの領域を示す。図９に示された装置２の描写においては、描かれたチャンバー１４の部分には３つの異なる厚さの領域Ａ、Ｂ及びＣが存在する。領域Ａはチャンバーの中のより小さな厚さの領域であり、領域Ｂはチャンバー１４の中の中位の厚さの領域であり、そして領域Ｃはチャンバー１４の中の最も大きな厚さの領域である。
図９には３つの異なる視野１、３及び５も示されている。これら視野１、３及び５は顕微鏡のような光学機器によって観察されるときの視野を図解するように円として描写されている。図９に描写された図解においては、血液サンプルがチャンバー１４の中に満たされ、そして少なくとも数秒間は静止された。
　【００３１】
　
領域Ｂの下方部には、赤血球が赤血球無しの血漿によって包囲されている連銭状赤血球又はその他凝集体３３を形成するのに十分な場所が存在する。
領域Ｂの上方部では、視野５には、白血球３４の計数及び分類を可能にするのに十分なチャンバー容積が存在する。
白血球３４は表面受容体サイトのためのこの領域で検定することができ; 類型に分類することができ; 容積測定することができ; 形態学的に研究することができる; 
チャンバー厚さが領域Ｃに示されたものにまで増加すると、赤血球凝集体３３は融合層(confluent layer) を形成し、そして白血球を突き止める能力は低下するが、この領域は非常に低い白血球数には利用されるかも知れない。
　【００３２】
　
図１０はチャンバー１４の部分平面図であり、数字１２はチャンバー１４の厚い方の端を示しそして数字１０はチャンバー１４の薄い方の端を示す。その最も薄い部分１０における約０〜約３μからその最も厚い部分１２における約２００μまで変化する変動厚さを有するチャンバー１４は血液サンプルの単位容量当たりの粒子計数の動的範囲(dynamic range) を１００倍にするであろう。
この図に示された成分３２は前述した血液成分のいずれか、即ち、血小板、赤血球、又は白血球、でありえよう。
視野１１は成分３２が過剰に群がっているので、成分３２に関する有効な情報を何ら含有しない２つの視野１１及び７′が存在するということは注目されるであろう。
視野７及び９はどちらも、成分３２と明澄血漿区域３５を含有している。走査機器はこれら視野の一つを詳細分析用に選択してもよい。上に言及した通り、走査機器はチャンバー１４の中のサンプルの単位容量当たりの形態成分３２の計数を誘導することを伴うサンプル検査の遂行においてチャンバー１４の中の有効領域を求めてチャンバー１４を探索するときに、それは７′、７、９及び１１のような視野を調べるであろう。
　【００３３】
　走査機器は計数検査の遂行時には明澄流体要素３５を有しない視野を無視するようにプログラミングすることができる、何故ならば、幾つかの場合には、かかる視野要素３５の存在は機器がそれが見ている視野の深度を決めるのに必要とされるからである、また、形態成分を欠く７′のような視野を無視するようにプログラミングすることもできる。先に言及した通り、深度測定は明澄要素３１から発する着色剤信号強度の関数又は幾つかの他の性質例えばチャンバーにおける走査機器のＸ−Ｙ位置の関数であってもよい。走査機器は視野の面積を知るようにプログラミングしたコンピューターを含んでおり、そして機器は任意視野の深度を測定したらその視野の容積を計算する。走査機器は必要な明澄要素３１を有するが形態成分３２の有意数を含有しない特定視野を無視するようにプログラミングされてもよい。従って、走査機器は視野７を無視することがありうるし、そして視野７′及び１１を無視するであろう。かかる場合には、走査機器は視野９の中の形態成分３２の数を計数するだけであろう。
　【００３４】
　走査機器は臨床上有意な数の成分３２を計数するように十分な数の有効視野を検分したときに、それはチャンバー１４の中のサンプルの単位容量当たりの成分３２の数を計算するであろう。何が臨床上有意な数の計数成分３２を構成するかの決定は計数手順にとっての予め定められた臨床上許容される誤差限界に依存するであろう。この数字はどんな成分３２が計数されるかに依存するかも知れないということが認識されよう。走査機器コンピューターは任意の特定視野で何が観察されるかに依存して、有効視野を見つけ出すのにはチャンバー１４の端１０又は端１２どちらに向かって動かなければならないかをわかるようプログラミングされるであろうことが認識されよう。従って、機器は１１のような視野を見るときは、より有効な視野を突き止めるためにチャンバー１４の端１０に向かって動かなければならないことをわかるであろう。９のような有効視野が突き止められたら、機器はチャンバー１４の端１０及び１２に平行に動くことによってチャンバー１４の中に似たような視野を多分見つけるであろうことをわかるであろう。幾つかの成分はチャンバー１４の幾つかの領域からは必然的に排除されるであろうので、他の領域でのそれらの濃度が増すことになるということに留意すべきである。実際、チャンバー１４の最も薄い領域におけるサンプルの容量は他での検査容量に比べて少量であるので、その濃度効果は無視できる。機器が視野当たりの微粒子計数を遂行できるように１０以上の成分と明澄区域を有する視野を見つけ出すようにプログラミングされているならば、それは視野９を選ぶであろう;それは成分３２をそれらの明るい発光特性によって同定するであろう; それは視野９の成分３２を計数するであろう; そして、それは視野９の容積を推定するであろう、従って、視野９の容積当たりの成分計数を誘導する。サンプル全体についての特定成分の計数はチャンバー１４の中の臨床上有意な数の類似視野を探し出しそしてその中の同成分の計数を行うことから導くことができる。
　【００３５】
　
アクリジンオレンジのような着色剤によって超生体染色されたサンプル中に存在する白血球は４６０ｎｍ範囲の光によって励起されたときの５４０ｎｍの蛍光性発光における細胞特有核蛍光(cells' characteristic nuclear fluorescence)及び６２０ｎｍの蛍光性発光における細胞質蛍光(cytoplasmic fluorescence)によって同定されてもよい。
　（６）「【００４５】
　図１３は数字５４によって一般的に表示されている自動化された比色顕微鏡機器アセンブリーの概略図であり、そしてそれは装置２の中に収容されている血液サンプルを走査するのに使用することができ、そして有意な人間の介在無しに血液サンプルの様々な成分からの発色波長を比色分析することができ、それによって様々な成分を同定する。それはまた、サンプルの中の様々な形態成分の単位血液サンプル当たりの容積計数を遂行することができ; 走査される血液サンプルの中の形態成分の様々なタイプの間を比色的及び／又は形態学的に差別化し; そして血液サンプルのヘモグロビン量及びヘマトクリットを比色的に測定することができる。機器アセンブリー５４は走査された血液サンプルの中の形態成分の画像を生じ保存又は伝送するように設計されている。機器アセンブリー５４には、サンプルホルダー２に携わるクリップ５８を包含しそしてサンプルホルダー２の内容物が走査されるときサンプルホルダー２をＸとＹの方向に水平に動かすことを可能にするステージ５６が包含されている。
　【００４６】
　可逆的電気モーター５９はサンプルホルダー２をＸとＹの方向に水平に動かせるように駆動スクリュー６０を反対方向に選択的に回転させるのに使用できる。この仕方で、サンプルホルダー２の内容物全体が走査できる。機器アセンブリー５４の自動の態様は、サンプルホルダーアセンブリー２の中のサンプル含有部に焦点を合わせるようにＺ方向に選択的に動かせる、ＣＣＤカメラ６２、ビームスプリッター６４、及びレンズ６６のセットを包含している。
ＣＣＤカメラ６２は選択回転可能なフィルターホイール７４の上に搭載されていてもよい複数の異なる発光波長フィルター６８、７０及び７２を通してサンプルの画像を観察し記録する。機器アセンブリー５４はビームスプリッター６４及び焦点を結ぶレンズセット６６を通してサンプルホルダー２に励起光ビームを向ける励起光源７５も包含している。一連の励起光波長フィルター７６、７８および８０は選択回転可能なフィルターホイール８２の上に搭載されてもよい。励起光ビームは焦点を結ぶレンズ６６に向かってビームスプリッター６４によって偏向され、そしてレンズ６６によってサンプルホルダー２の上に焦点を結ばされる。従って、２つのフィルターホイール７４と８２は励起光源ばかりでなく発光光源の波長を選択的に制御し変動させることができる。予めプログラミングされたプロセッサーコントローラー８４はサンプルホルダー２の運動; フィルターホイール７４と８２の回転; およびＣＣＤカメラ６２の操作を、選択的に制御するように操作可能である。従って、コントローラー８４は有意な人間の介在の必要無しに機器アセンブリー１２の完全自動操作を可能にする。
　（７）図４
　（８）図９
　（９）図１３
　
　２ 引用例１に記載された発明
　（１）上記１（６）及び図１３によれば、「選択回転可能なフィルターホイール７４の上に搭載され」た「複数の異なる発光波長フィルター６８，７０及び７２を通してサンプル画像を観察し記録する」「ＣＣＤカメラ６２」と、「選択回転可能なフィルターホイール８２の上に搭載され」た「一連の励起光波長フィルター７６，７８および８０」を通して「サンプルホルダー２」に「励起光ビームを向ける」「励起光源」と、「サンプルホルダー２の運動」、「フィルターホイール７４と８２の回転およびＣＣＤカメラ６２の操作」を、「選択的に制御するように操作可能である」「予めプログラミングされたプロセッサーコントローラー８４」とを備え、「励起光源」と「発光光」の波長を選択的に制御し変動させるように構成された装置構成が開示されていると認められる。
　（２）上記１（１）ないし（９）の記載事項および上記（１）の認定を総合すると、引用例１には、つぎの発明が記載されているものと認められる。
　「血液サンプルの中の様々なタイプの白血球から発する異なる信号強度によって白血球のタイプを互いに区別するのに作用可能である一つ又はそれ以上の着色剤と混合されている実質的に希釈されてない抗凝固全血静止サンプルで全血の構成要素の計数を行うための装置であって、前記血液サンプル及び着色剤は下部壁４と上部壁８を包含し上部壁８は下部壁４の上面に平らに配置され、下部壁４は上部壁８の縁１０に向かって縁１２から出発開始する方向に上部壁８に向けて収斂する一般にテーパーを付けた窪んだ表面１８をもって形成されており、窪んだ表面１８は予め定められた距離だけ壁８から離される複数の階段増分２２、２４、２６を含んだ変動厚さ領域を有する観察用チャンバー（１４）の中に収容されており、
　ａ）血液サンプルを、既知面積の視野（１、３、５、７′、７、９、１１）を有する光学機器（５４）によって、容量白血球数を誘導するのに臨床上有意な数の異なる視野を走査する工程;
　ｂ）前記静止血液サンプルの中の、白血球も含有している区域（５）を突き止める工程; 及び
　ｃ）静止血液サンプルの中の前記区域を、様々な形態の血液サンプル要素を示差的にハイライト化するように選択された波長の光によって照射する工程であって、この照射はハイライト化された血液サンプル要素に関する情報の前記光学機器による誘導を可能にする仕方で、行う工程;
　ｄ）選択視野の中の個々の白血球を計数し、そして前記選択視野の容積を求めて血液サンプルについての容量白血球数を誘導する工程を行うものであって、その際に様々なタイプの白血球から発する異なる信号強度によって特異白血球数が血液サンプルから誘導されるものであり、
　選択回転可能なフィルターホイール７４の上に搭載された複数の異なる発光波長フィルター６８，７０及び７２を通してサンプル画像を観察し記録するＣＣＤカメラと、選択回転可能なフィルターホイール８２の上に搭載された一連の励起光波長フィルター７６，７８および８０を通してサンプルホルダー２に励起光ビームを向ける励起光源と、サンプルホルダー２の運動、フィルターホイール７４と８２の回転およびＣＣＤカメラ６２の操作を選択的に制御するように操作可能である予めプログラミングされたプロセッサーコントローラー８４を備え励起光源と発光光の波長を選択的に制御し変動させるように構成されている
全血の構成要素の計数を行うための装置」の発明（以下、「引用発明１」という。）  
　３　本件拒絶理由通知において引用され、本件出願前電気通信回線を通じて公衆に利用可能となった引用例２（国際公開第２００６／１１９３６８号）にはつぎの事項が記載されている。
　なお、その記載内容については、対応日本語出願である特願２００８−５１０１６９号の国内公表公報（特表２００８−５４１０５５号）の記載に基づいて摘示した。（下線は、当審により付加したもの。）
　（１）「【０００２】
　（分野）
　本教示は、蛍光色素からの蛍光を検出する検出システム、および蛍光色素を検出する方法に関連している。」
　（２）「【課題を解決するための手段】
【０００４】
　（要旨）
　多種の実施形態によれば、本教示は、
２つ以上の励起源、少なくとも１つの検出器および色素のセットを備える検出システム
励起源は、複数の異なる個々の励起ビームの波長範囲を放出するように適合され得、ここで、各励起源は、励起源のうちの少なくとも１つの他の励起源の励起ビームの波長範囲内では放出されない少なくとも１つの波長を放出する
典型的実施形態において、約４６０ｎｍ〜約４７５ｎｍの第一の励起ビームの波長範囲を放出するように適合される第一の励起源が提供され得、そして約４８０ｎｍ〜約４９５ｎｍの第二の励起ビームの波長範囲を放出するように適合される第二の励起源が提供され得る。第二の励起ビームの波長範囲は、第一の励起ビームの波長範囲とは異なる時間もしくは異なる方向で放出され得る。いくつかの実施形態において、２つ、３つ、４つもしくはそれより多くの異なっていてかつオーバーラップしていない波長範囲の励起ビームを放出するように適合される励起源の群が提供される。
　（３）「【０００６】
　多種の実施形態によれば、本明細書中に記載されるような検出システムとともに使用するための色素のセットが提供され、ここで、このセットのうちの少なくとも２つの色素が、同じかもしくは実質的にオーバーラップしている放出波長範囲ではなく、異なる吸収波長範囲を有する。いくつかの実施形態において、本教示は、色素のセットを提供し、
ここで、このセットの色素のうちの少なくとも１つが、エネルギー移動色素である。
、このセット中の他のエネルギー移動色素とは異なるドナー色素部分を含み、そしてセットの各エネルギー移動色素は、アクセプター色素部分を含み、これは、このセットの他のエネルギー移動色素のアクセプター色素部分と、同じタイプもしくは構造であり、ならびに／あるいはこれは、同じスペクトル特性および／もしくは放出波長を有する。
　（４）「【００２０】
　図面に関して、図１は、
サーマルサイクルされる一定の容量でＰＣＲを使用した核酸配列の検出のための典型的なシステムを説明する。励起源１０、２０、３０および４０は、異なるピーク波長および／もしくは異なるピーク波長の範囲の放射線をそれぞれ提供し得る。
色素のセットは、励起源１０、２０、３０および４０から放出されるそれぞれの励起波長によってそれぞれ励起可能な色素を含む
４つのエネルギー移動色素が選択され得、ここで、各エネルギー移動色素は、４つの異なる励起源１０、２０、３０および４０のうちのそれぞれによって励起可能である異なるそれぞれのドナー色素部分を含む。この４つのエネルギー移動色素のそれぞれのアクセプター色素部分は、各エネルギー移動色素と同じになるように（例えば、励起されると各色素が同じ波長の放射線を放出するように）選択され得る。
放出ビーム６００（例えば、約６２０ｎｍの放出波長で）は、検出器５０によって検出され得る。
【００２１】
　いくつかの実施形態において、図１に示されるシステムは、励起源によって照射される励起ビームをフォーカスさせるための１つ以上のレンズ（図示されていない）、および／もしくは励起ビームを導くための１つ以上の鏡（図示されていない）を含み得る。複数の励起源として複数の放射線源を含む図１に示されるようなシステムにおいて、励起波長および放出波長は、それら全てが互いに異なり、かつ分光的に互いに一定の間隔があるか、あるいは離れていて、その結果、オーバーラップする放射線を減じるもしくは除去するためのフィルタを必要としないシステムとなるように選択され得る。
【００２２】
　いくつかの実施形態において、図１中で説明される励起源１０、２０、３０および４０は、４つの個々のＬＥＤを含み得る。いくつかの実施形態において、励起源は、例えば、それぞれ異なるＯＬＥＤ（これは、２つの異なり、かつ分光的に一定の間隔があるそれぞれの励起波長を提供し得る）の２層を含む２層ＯＬＥＤの形態に統合され得る。いくつかの実施形態において、本明細書中に記載される多種の放射線源のいずれも、励起源１０、２０、３０および４０として使用され得る。
【００２３】
　いくつかの実施形態において、図１中で説明されるシステムは、励起源１０、２０、３０および４０のそれぞれに対する独立したコントロール（例えば、ＣＰＵもしくは他のプロセッサーによる、あるいは論理によるコントロール）を提供し得る。プロセッサーは、例えば、励起源を１つずつ動作させるようにプログラムされたコンピューターを含み得る。プロセッサーは、機器制御回路をその中に含み得る。プロセッサーは、動作される励起源と検出器によって検出される放出波長、放出波長の範囲もしくは放出スペクトルとを調整および／もしくは相関させるために検出器と連結され得る。動作される励起源は、核酸配列を検出するために、このシステム内で使用される色素と相関され得る。」
（５）図１
　
　４　上記３（１）ないし（５）を総合すると引用例２には、つぎの発明が記載されているものと認められる。
　「２つ以上の励起源、少なくとも一つの検出器及び色素のセットを備える検出システムであって、励起源は、複数の異なる個々の励起ビームの波長範囲を放出するように適合され得、ここで各励起源は、励起源の少なくとも１つの他の励起源の励起ビームの波長範囲内では放出されない少なくとも１つの波長を放出するものであり、色素のセット中には、複数のエネルギー移動色素が含まれ、各エネルギー移動色素は、他のエネルギー移動色素とは異なるドナー色素部分を含み、他のエネルギー移動色素と同じスペクトル特性及び／又は放出波長を有するアクセプター色素部分を含む検出システム」の発明（以下、「引用発明２」という。）が記載されている。
第５　対比
　１　引用発明１の「チャンバー」の厚さ寸法に関して 
　（１）上記第４の１（３）には「・・・チャンバーの中のより厚い領域の一つは白血球および赤血球連銭形(rouleaux)を集めるであろう。チャンバーのこの領域の厚さは代表的には約７〜約４０μの範囲にある。チャンバーは血液サンプルを引き入れることができるサンプルホルダーの中に収容されている。」と記載され、「白血球」を集める領域におけるチャンバーの厚さが約７〜約４０μｍの範囲にあることが示されている。 
　（２）そして、引用例１の図９の説明として、上記第４の１（５）の段落【００３１】には「・・・領域Ｂの上方部では、視野５には、白血球３４の計数及び分類を可能にするのに十分なチャンバー容積が存在する。従って、白血球３４は表面受容体サイトのためのこの領域で検定することができ; 類型に分類することができ; 容積測定することができ; 形態学的に研究することができる; そして白血球３４についての付加的な小さな情報は領域Ｂの上方部における血液サンプルから誘導することができる。チャンバー厚さが領域Ｃに示されたものにまで増加すると、赤血球凝集体３３は融合層(confluent layer) を形成し、そして白血球を突き止める能力は低下するが、この領域は非常に低い白血球数には利用されるかも知れない。」と記載されており、あまり、チャンバーの厚さ方向の寸法を大きくすることは、赤血球により白血球の検出能力が低下することが示されている。また、チャンバーの厚さ方向の寸法を大きくして、赤血球凝集体３３が融合層を形成する場合であっても、白血球数が非常に低いときには利用され得ることについても記載されている。 
　（３）以上のことから、 引用発明１のチャンバの厚み方向の寸法に関しては、つぎのａないしｃのことを理解することができる。 
　ａ　チャンバーの厚み方向の寸法を大きくすると、赤血球の影響により白血球の検出能力が低下する。 
　ｂ　代表的には、白血球を集める領域におけるチャンバーの厚み方向の寸法は、約７〜約４０μの範囲である。 
　ｃ　白血球を集めるとされるチャンバーの厚み方向の寸法は、約７〜約４０μの範囲に限らず、それより大きく赤血球が多く検出されるような厚みでも、白血球数が少ないときには利用され得る。 
　（４）また、試料チェンバーの「領域Ｂの上方部の視野５において、白血球の計数及び分類を可能にする十分なチェンバー容積が存在する」旨が開示されていることからすれば、図４に示された「試料チェンバー」の下部壁４の窪み１８の階段増分２２ないし２４を用いて、白血球数を集める領域を形成することは、明らかであるから、引用発明１の「試料チェンバー」は、その上部壁と下部壁の間の光収集軸に沿った寸法が赤血球の光妨害層の形成を妨げる光収集軸に沿った寸法を含むものといえる。 
　２　以上のことを前提に、本願発明と引用発明１とを対比する。
　（１）引用発明１の「血液サンプルの中」、「血液サンプル中の様々なタイプの白血球」は、それぞれ、本願発明の「血液検体内」、「非赤血球」に相当し、引用発明１の「異なる信号強度によって白血球のタイプを互いに区別するのに作用可能である一つ又はそれ以上の着色剤」、「実質的に希釈されていない抗凝固全血静止サンプルで全血の構成要素の計数を行うための装置」と、本願発明１の「複数の分別励起可能なラベルを付けられた非赤血球」、「血液検体内」の「非赤血球を分析するための装置」は、それぞれ、「複数のラベルを付けられた非赤血球」、「血液検体内」の「非赤血球を分析するための装置」である点で共通するものといえる。
　してみると、引用発明１の「血液サンプルの中の様々なタイプの白血球から発する異なる信号強度によって白血球のタイプを互いに区別するのに作用可能である一つ又はそれ以上の着色剤と混合されている実質的に希釈されてない抗凝固全血静止サンプルで全血の構成要素の計数を行うための装置」と本願発明の「血液検体内で複数の分別励起可能なラベルを付けられた非赤血球を分析するための装置」は、「血液検体内で複数のラベルを付けられた非赤血球を分析するための装置」である点で共通する。
　（２）引用発明１の「血液サンプル及び着色剤」が収容されている「下部壁４と上部壁８を包含し上部壁８は下部壁４の上面に平らに配置され、下部壁４は上部壁８の縁１０に向かって縁１２から出発開始する方向に上部壁８に向けて収斂する一般にテーパーを付けた窪んだ表面１８をもって形成されており、窪んだ表面１８は予め定められた距離だけ壁８から離される複数の階段増分２２、２４、２６を含んだ変動厚さ領域を有する観察用チャンバー（１４）」と本願発明の「血液検体を含み、赤血球の光妨害層の形成を妨げる光収集軸に沿った寸法を有することができる試料チャンバーであって、前記試料チャンバーの光学的に透過する壁と底部壁との間の垂直の前記寸法は４４μｍ以上５０μｍ未満の範囲内であり、前記光学的に透過する壁は前記底部壁に対して実質的に平行である、試料チャンバー」とは、上記１で検討したことを前提とすれば、「血液検体を含み、赤血球の光妨害層の形成を妨げる光収集軸に沿った寸法を含む試料チャンバーであって、前記試料チャンバーの光学的に透過する壁と底部壁との間の垂直の前記寸法を有し、前記光学的に透過する壁は前記底部壁に対して実質的に平行である、試料チャンバー」である点で共通するものといえる。
　そして、引用発明１の「 ａ）血液サンプルを、既知面積の視野（１、３、５、７′、７、９、１１）を有する光学機器（５４）によって、容量白血球数を誘導するのに臨床上有意な数の異なる視野を走査する工程； ｂ）前記静止血液サンプルの中の、白血球も含有している区域（５）を突き止める工程; 」を有する装置は、「容量白血球数」を計数するための「臨床上有意な数の異なる視野を走査し」、「静止血液サンプル中の白血球」を「含有している区域を突き止め」るのであるから、試料チェンバーの「赤血球の光妨害層の形成を妨げる光収集軸に沿った寸法を有する」試料チェンバー部分の画像を用いて、白血球数を誘導するものであることも明らかであるといえる。
　（３）引用発明１の「ｃ）静止血液サンプルの中の前記区域を、様々な形態の血液サンプル要素を示差的にハイライト化するように選択された波長の光によって照射する工程であって、この照射はハイライト化された血液サンプル要素に関する情報の前記光学機器による誘導を可能にする仕方で、行う工程」を有する装置が、「複数の波長帯域を有する照明ビーム」で血液サンプルの中の区域を照射するものであることは明らかであり、そのための構成として「選択回転可能なフィルターホイール８２の上に搭載された一連の励起光波長フィルター７６，７８および８０を通してサンプルホルダー２に励起光ビームを向ける励起光源」であって、「予めプログラミングされたプロセッサーコントローラ８４がフィルターホイール８２の回転を制御して励起光源を選択的に制御」するよう構成されている。
　したがって、引用発明１の「選択回転可能なフィルターホイール８２の上に搭載された一連の励起光波長フィルター７６，７８および８０を通してサンプルホルダー２に励起光ビームを向ける励起光源」と本願発明の「帯域通過フィルタを有し、互いに対向する位置に配置された２つの光源であって、各々が、明確な波長帯域を有する照明ビームで前記血液検体を連続的に照らすことができる２つの光源」とは、「帯域通過フィルタを有し」「複数の明確な波長帯域を有する照明ビームで血液検体を連続的に照らすことができる光源」である点で共通するものといえる。
　（４）そして、引用発明１の「選択回転可能なフィルターホイール７４の上に搭載された複数の異なる発光波長フィルター６８，７０及び７２を通してサンプル画像を観察し記録するＣＣＤカメラ」と「選択回転可能なフィルターホイール８２の上に搭載された一連の励起光波長フィルター７６，７８および８０を通してサンプルホルダー２に励起光ビームを向ける励起光源」の「フィルターホイール７４と８２の回転およびＣＣＤカメラ６２の操作を選択的に制御するように操作可能である予めプログラミングされたプロセッサーコントローラー８４」は、励起光源の励起光ビームを異なる複数の励起光波長で連続的にサンプルを照射するように制御することが可能であり、また、ＣＣＤカメラを複数の異なる発光波長にてサンプル画像を連続的に観察し記録する用制御することが可能であることは技術的に明らかである。
　してみると、引用発明１の「プロセッサーコントローラ８４」と本願発明の「前記複数の分別励起可能なラベルの各々が、単一の検出器によって検出できる同じ波長帯域内の光信号を連続的に放射させられるように、それぞれの光源の前記照明ビームを前記血液検体上に連続的に導くための前記２つの光源に結合されたコントローラ」とは、「光源の複数の波長の照明ビーム」を「血液検体上に連続的に導くための」「光源に結合されたコントローラ」である点および「複数のラベルの各々が、単一の検出器によって検出できる光信号を連続的に放射させられるように、それぞれの光源の前記照明ビームを前記血液検体上に連続的に導くための前記２つの光源に結合されたコントローラ」である点で共通するものといえる。
　（５）引用発明１の「ｄ）選択視野の中の個々の白血球を計数し、そして前記選択視野の容積を求めて血液サンプルについての容量白血球数を誘導する工程を行うものであって、その際に様々なタイプの白血球から発する異なる信号強度によって特異白血球数が血液サンプルから誘導される、全血の構成要素の計数を行うための装置」は、複数の波長のビームにより照射された際の「血液サンプルの中の様々なタイプの白血球から発する異なる信号強度によって白血球のタイプを互いに区別するのに作用可能である一つ又はそれ以上の着色剤」からの異なる信号強度を測定するものであるから、複数の波長のビームの照射に応じて放射された光信号を収集するものであることは明らかである。
　そして、引用発明１の「選択回転可能なフィルターホイール８２の上に搭載された一連の励起光波長フィルター７６，７８および８０を通してサンプルホルダー２に励起光ビームを向ける励起光源」が、異なる複数の励起光波長の励起光ビームを連続的に照射可能であること、また、「選択回転可能なフィルターホイール７４の上に搭載された複数の異なる発光波長フィルター６８，７０及び７２を通してサンプル画像を観察し記録するＣＣＤカメラ」が、複数の異なる発光波長のサンプル画像を連続的に観察可能なものであるから、「異なる複数の連続的な画像を収集することができる光学システム」ともいい得るものである。
　してみると、引用発明１の「ｄ）選択視野の中の個々の白血球を計数し、そして前記選択視野の容積を求めて血液サンプルについての容量白血球数を誘導する工程を行うものであって、その際に様々なタイプの白血球から発する異なる信号強度によって特異白血球数が血液サンプルから誘導される、選択回転可能なフィルターホイール７４の上に搭載された複数の異なる発光波長フィルター６８，７０及び７２を通してサンプル画像を観察し記録するＣＣＤカメラと、選択回転可能なフィルターホイール８２の上に搭載された一連の励起光波長フィルター７６，７８および８０を通してサンプルホルダー２に励起光ビームを向ける励起光源と、サンプルホルダー２の運動、フィルターホイール７４と８２の回転およびＣＣＤカメラ６２の操作を選択的に制御するように操作可能である予めプログラミングされたプロセッサーコントローラー８４」を備え励起光源と発光光の波長を選択的に制御し変動させるように構成されている全血の構成要素の計数を行うための装置」は、本願発明の「そのような放射された光信号を収集し、それらに対応する連続的な画像を、画像データの連続的な組を形成するための光応答性表面に形成することができる光学システムとを含み、画像データの前記連続的な組を分析することによって、前記血液検体内の非赤血球を数えることを特徴とする装置」に相当するものであるともいえる。
　（６）上記（１）ないし（５）によれば、本願発明と引用発明１とは、つぎの一致点で一致し、つぎの相違点において相違するものと認められる。
 ＜一致点＞ 
　血液検体内で複数のラベルを付けられた非赤血球を分析するための装置であって、前記装置は、
　血液検体を含み、赤血球の光妨害層の形成を妨げる光収集軸に沿った寸法を含む試料チャンバーであって、前記試料チャンバーの光学的に透過する壁と底部壁との間の垂直の前記寸法を有し、前記光学的に透過する壁は前記底部壁に対して実質的に平行である、試料チャンバーと、 
　帯域通過フィルタを有し複数の明確な波長帯域を有する照明ビームで血液検体を連続的に照らすことができる光源と、
　前記複数のラベルの各々が、単一の検出器によって検出できる光信号を連続的に放射させられるように、それぞれの光源の前記照明ビームを前記血液検体上に連続的に導くための前記光源に結合されたコントローラと、 
　そのような放射された光信号を収集し、それらに対応する連続的な画像を、画像データの連続的な組を形成するための光応答性表面に形成することができる光学システムとを含み、 
　画像データの前記連続的な組を分析することによって、前記血液検体内の非赤血球を数えることを特徴とする装置 
  
 ＜相違点１＞ 
　「試料チャンバー」の「赤血球の光妨害層の形成を妨げる光収集軸に沿った寸法」に関して、本願発明が、「４４μｍ以上５０μｍ未満の範囲内」であると特定されているのに対して、引用発明１は、どの程度の寸法であるのかが特定されない点 
  
 ＜相違点２＞ 
　本願発明の「光源」が「帯域通過フィルタを有し、互いに対向する位置に配置された２つの光源であって、各々が、明確な波長帯域を有する照明ビームで前記血液検体を連続的に照らすことができる２つの光源」であるのに対して、引用発明１の「光源」は、「選択回転可能なフィルターホイール８２の上に搭載された一連の励起光波長フィルター７６，７８および８０を通してサンプルホルダー２に励起光ビームを向ける励起光源」である点
＜相違点３＞
　本願発明の「複数の分別励起可能なラベル」が非赤血球に付けられるものであり、「前記複数の分別励起可能なラベルの各々が、単一の検出器によって検出できる同じ波長帯域内の光信号を連続的に放射させられるように、それぞれの光源の前記照明ビームを前記検体上に連続的に導くための前記２つの光源に結合されたコントローラと」を備えるものであるのに対して、引用発明１は、「血液サンプルの中の様々なタイプの白血球から発する異なる信号強度によって白血球のタイプを互いに区別するのに作用可能である一つ又はそれ以上の着色剤と混合されている」ものであり、「静止血液サンプルの中の前記区域を、様々な形態の血液サンプル要素を示差的にハイライト化するように選択された波長の光によって照射する工程であって、この照射はハイライト化された血液サンプル要素に関する情報の前記光学機器による誘導を可能にする仕方で、行う」ものである点 
第６　当審の判断
　１　相違点１について 
　（１）相違点１について検討するに、引用発明１の「試料チャンバー」の寸法は、「赤血球の光妨害層の形成を妨げる光収集軸に沿った寸法」を含むものである点で、請求項１に係る発明において特定されている寸法範囲「４４μｍ以上５０μｍ未満」と同様の作用を奏するものである。 
　また、引用発明１において、「ｂ　チャンバーの厚さ方向の寸法の大きさが約７〜４０μｍとすれば、白血球が集まり」、「ａ　赤血球により白血球の検出能力が低下することはない」が、「ｃ　白血球が少ないときには、それ（４０μｍ）よりも大きくする」ことが理解できることは、上記第５の１（３）で説示したとおりであるし、引用発明１の装置を白血球数の計数を目的として用いるに当たって、引用発明１の「試料チャンバー」の厚さ方向の寸法の大きさを、その目的に応じて最適化することは、当業者が当然考慮し得る設計的条件である。 
　してみると、そのような最適範囲の検討により、当該厚さ方向の寸法の大きさを「４４〜５０μｍ」の範囲内として、請求項１に係る発明の上記相違点１に係る構成とすることは、当業者が容易になし得る程度のことというべきである。 
　（２）上記のように、引用発明１の「試料チャンバー」の厚さ方向の寸法の大きさを「４４〜５０μｍ」の範囲内とすることが容易になし得るとしても、当該数値範囲が、その他の数値範囲と比較して格別な効果を奏する、すなわち臨界的意義を有する場合には、本願発明の進歩性は肯定されることとなることから、本願発明において特定される数値範囲の臨界的意義について検討する。 
　ア　本願明細書の発明の詳細な説明には、当該寸法に関しては、【００２９】「上述のように、試料チャンバー（５０２）の上部壁（５１４）と底部壁（５１６）との間の距離は、全血試料の分析にとって重要である。その距離、例えば図５Ｂの（５１８）が大きすぎる場合、除核赤血球（５２０）は関心のある細胞種類（５２２）から生成される通過光信号を妨害する（５２６）可能性があり、その場合には、そのような細胞は数えられない可能性があり、細胞数又は濃度の過小評価をもたらす。本発明によると、及び図５Ｃで例示されるように、試料チャンバー（５０２）の上部壁（５１４）と底部壁（５１６）との間の距離（５１８）は、除核赤血球の妨害層が、関心のある細胞（５２２）と上部壁（５１４）との間で形を成すことができず、光信号（５２４）がすべて試料チャンバー（５０２）から撮像光学系へとなるように、関心のある細胞種類（５２２）の直径又は有効直径と実質的に同等である。一態様では、試料チャンバー（５０２）は、撮像光学系の被写界深度と実質的に同等な距離（５１８）を有する。別の態様では、試料チャンバー（５０２）は、１０から１００μｍ、又は１０から５０μｍ、又は２０から５０μｍの範囲内の距離（５１８）を有する。」と記載されているのみであり、当該寸法範囲に関しての臨界的な意義については何らの開示もない。 
　イ　図８Ａなどをみても、ここでの数値範囲について臨界的意義を見出すことはできない。 
　（３）以上のとおりであるから、相違点１は、当業者が容易になし得る程度のことである。 
  
　２　相違点２について 
　（１）例えば特開２０００−２９２３５４号公報（以下、「周知例１」という。）には、測定表面に「波長λ１の励起ビームを与えるための励起フィルタ７及び光源６」と「波長λ２の励起ビームを与えるための励起フィルタ９及び光源８」を備えた光源であって、互いに対向して配置されるもの（段落【００２４】及び段落【００３７】図５等参照）が記載されており、また、特表２００６−５１５０６５号公報（以下、「周知例２」という。）には、「Ｃｙ３励起用の緑色ピーク波長をもったルミレッド高輝度ＬＥＤ４０２」と「Ｃｙ５励起用のピーク波長を持った第２のルミレッド高輝度ＬＥＤ４０４」を配列位置周りの直径両端に配置した配列読み取り器（段落【００６４】及び図７参照）が記載されているように、「検出対象に２つの波長の励起光を照射する光源として、それぞれの波長を照射するための帯域通過フィルタを有し、互いに対向する位置に配置された２つの光源」は、本願優先権主張日前に従来周知の技術であるといえる。
　（２）引用発明１の「選択回転可能なフィルターホイール８２の上に搭載された一連の励起光波長フィルター７６，７８および８０を通してサンプルホルダー２に励起光ビームを向ける励起光源」が複数の異なる波長を励起光ビームとして照射するものである点で、当該周知技術の「光源」と同じ作用を奏するものであるから、当業者であれば、引用発明１において、複数の異なる励起光波長の励起光ビームをサンプルホルダーに向ける励起光源として、上記従来周知の「光源」を用いることができることは明らかである。
　また、複数の異なる励起光波長の光源を、複数の異なる波長のフィルタを切り換えて単一光源により実現することと、異なる波長光を放出する複数の光源を用いて実現することは、どちらも周知の技術であって、そのどちらを採用するのかは、当業者が必要に応じて選択し得る程度の設計的事項でもある。
　（３）以上のとおりであるから、引用発明１の光源を上記周知技術を適用して、上記相違点２に係る本願発明の構成のごとく構成することは、当業者が容易になし得る程度のことというべきである。
　３　相違点３について
　（１）本願発明と引用発明２の対比
　ア　引用発明２の「エネルギー移動色素」は、「他のエネルギー移動色素とは異なるドナー色素部分を含む、他のエネルギー移動色素と同じスペクトル特性及び／又は放出波長を有するアクセプター色素部分を含む」ものであることから、本願発明の「複数の分別励起可能なラベル」であって、「各々が、単一の検出器によって検出できる同じ波長帯域内の光信号を連続的に放射」できるものに相当し、また、引用発明２の「励起源は、複数の異なる個々の励起ビームの波長範囲を放出するように適合され得、ここで各励起源は、励起源の少なくとも１つの他の励起源の励起ビームの波長範囲内では放出されない少なくとも１つの波長を放出するもの」は、本願発明の「明確な波長帯域を有する照明ビームで前記血液検体を連続的に照ら」すよう作動するものであることは明らかである。
　イ　引用発明２の「少なくとも一つの検出器」により検出される各エネルギー移動色素のアクセクター色素部分は、他のエネルギー移動色素と同じ波長の放出波長を有するのである。
　してみると、引用発明２の「少なくとも一つの検出器」は、励起源により照らされた血液サンプルからの同じ波長の放出波長を検出することができるものであるといえるから、本願発明の「そのような放射された光信号を収集」する「光学システム」に対応するものである。 
　ウ　引用発明２の装置の「２つ以上の励起源」は、「複数の異なる個々の励起ビームの波長範囲を放出するように適合され得、ここで各励起源は、励起源の少なくとも１つの他の励起源の励起ビームの波長範囲内では放出されない少なくとも１つの波長を放出するものであ」るから、本願発明の「前記複数の分別励起可能なラベルの各々が、単一の検出器によって検出できる同じ波長帯域内の光信号を連続的に放射させられるように、それぞれの光源の前記照明ビームを前記検体上に連続的に導くための前記２つの光源に結合されたコントローラ」と同様に制御されるものであることは明らかである。 
　（２）引用発明１に引用発明２を適用することの想到容易性について
　ア　引用発明２の「複数の」「エネルギー色素」は、複数の異なる波長の励起光源を用いて選択的にそれぞれのエネルギー色素を励起し、その検出光を単一波長の光を用いて検出するようにすることで、検出器の構成を簡素化することができるという技術的意義を有するものである。
　そして、引用発明１「着色剤」として引用発明２の「エネルギー移動色素」を用いることにより、「検出光を単一波長の光を用いて検出するようにすることで検出器の構成を簡素化することができる」ことは、当業者にとって明らかであるから、引用発明１に引用発明２の「エネルギー移動色素」を採用することには十分動機付けがあるものということができる。
　イ　引用発明１において、「血液サンプルの中の様々なタイプの白血球から発する異なる信号強度によって白血球のタイプを互いに区別するのに作用可能である一つ又はそれ以上の着色剤」として、引用発明２の「複数」の「エネルギー移動色素」を用いることができることは当業者にとって明らかであるから、引用発明１の「血液サンプルの中の様々なタイプの白血球から発する異なる信号強度によって白血球のタイプを互いに区別するのに作用可能である一つ又はそれ以上の着色剤」を「複数の」「エネルギー移動色素」を用いるようにすることに格別の困難性はない。
　ウ　引用発明１において「複数」の「エネルギー移動色素」を用いて各白血球の計数を行うにあたっては、上記引用例２に記載のように、「励起光源」を「複数の異なる個々の励起ビームの波長範囲を放出するように適合され得、ここで各励起源は、励起源の少なくとも１つの他の励起源の励起ビームの波長範囲内では放出されない少なくとも１つの波長を放出するもの」ようにするとともに、「励起源により照らされた血液サンプルからの同じ波長の放出波長を検出する」よう制御されるものとしなければならないことは明らかであるところ、引用発明１の「選択回転可能なフィルターホイール７４の上に搭載された複数の異なる発光波長フィルター６８，７０及び７２を通してサンプル画像を観察し記録するＣＣＤカメラと、選択回転可能なフィルターホイール８２の上に搭載された一連の励起光波長フィルター７６，７８および８０を通してサンプルホルダー２に励起光ビームを向ける励起光源と、サンプルホルダー２の運動、フィルターホイール７４と８２の回転およびＣＣＤカメラ６２の操作を選択的に制御するように操作可能である予めプログラミングされたプロセッサーコントローラー８４」を備え励起光源と発光光の波長を選択的に制御し変動させるように構成されている装置」をそのように動作させるよう構成することにも格別の困難性は認められないし、また、上記相違点２において検討したように、引用発明１の光源を周知の光源に置き換えたとした場合においても同様である。
　（３）小括
　以上のことからすれば、引用発明１に引用発明２を適用することにより、上記相違点３に係る本願発明の如く構成することは、当業者が容易に想到し得るものといえる。
　４　そして、本願発明の効果についても、引用例１及び２に記載の事項並びに周知技術に基づいて当業者が予測し得る程度のものであって、格別のものとは認められない。
　５　以上のとおりであるから、本願発明は、引用発明１及び引用発明２並びに周知技術に基づいて当業者が容易に発明をすることができたものである。
第６　まとめ
　上記のとおり、本願発明は、引用発明１及び引用発明２並びに周知技術に基づいて当業者が容易に発明をすることができたものであって、特許法第２９条第２項の規定により特許を受けることができないものであるから、その他の請求項について論及するまでもなく、本願は、特許を受けることができない。
　よって、上記結論のとおり審決する。